【手続補正書】
【提出日】平成28年12月22日(2016.12.22)
【手続補正１】
【補正対象書類名】明細書
【補正対象項目名】００１０
【補正方法】変更
【補正の内容】
【００１０】
本発明の一様態は、無線接続を確立するための通信パラメータを自動的に設定する自動設定処理を複数種類実行可能な通信装置であって、
前記複数種類の自動設定処理の中から、アクセスポイントが送信する情報に基づいて、該アクセスポイントが実行中の自動設定処理の種類を特定する特定手段と、
前記特定手段が特定した種類の自動設定処理を用いて、前記アクセスポイントと前記通信装置との間で無線接続を確立することを試みる第１の処理手段と、
前記アクセスポイントと前記通信装置との間で無線接続を確立することが失敗した場合に、前記特定手段が特定した種類の自動設定処理を用いて、前記アクセスポイントと前記通信装置との間で無線接続を確立することを再度試みる第２の処理手段とを備え、
前記アクセスポイントと前記通信装置との間で無線接続を確立することを前記第２の処理手段が試みる際には、前記アクセスポイントが実行中の自動設定処理の種類を前記アクセスポイントが送信する情報に基づいて特定する処理は実行されないことを特徴とする。
【手続補正２】
【補正対象書類名】特許請求の範囲
【補正対象項目名】全文
【補正方法】変更
【補正の内容】
【特許請求の範囲】
【請求項１】
無線接続を確立するための通信パラメータを自動的に設定する自動設定処理を複数種類実行可能な通信装置であって、
前記複数種類の自動設定処理の中から、アクセスポイントが送信する情報に基づいて、該アクセスポイントが実行中の自動設定処理の種類を特定する特定手段と、
前記特定手段が特定した種類の自動設定処理を用いて、前記アクセスポイントと前記通信装置との間で無線接続を確立することを試みる第１の処理手段と、
前記アクセスポイントと前記通信装置との間で無線接続を確立することが失敗した場合に、前記特定手段が特定した種類の自動設定処理を用いて、前記アクセスポイントと前記通信装置との間で無線接続を確立することを再度試みる第２の処理手段とを備え、
前記アクセスポイントと前記通信装置との間で無線接続を確立することを前記第２の処理手段が試みる際には、前記アクセスポイントが実行中の自動設定処理の種類を前記アクセスポイントが送信する情報に基づいて特定する処理は実行されないことを特徴とする通信装置。
【請求項２】
前記アクセスポイントが実行中の自動設定処理の種類を前記特定手段が特定した際に、該特定した自動設定処理の種類を記憶する記憶手段を更に備え、
前記第２の処理手段は、前記記憶手段が記憶している種類の自動設定処理を用いて、前記アクセスポイントと前記通信装置との間で無線接続を確立することを再度試みることを特徴とする請求項１に記載の通信装置。
【請求項３】
前記アクセスポイントと前記通信装置との間で無線接続を確立することを前記第１の処理手段が失敗した場合に、該失敗の要因が所定のエラーであるか否かを判定する判定手段を更に備え、
前記失敗の要因が前記所定のエラーであると前記判定手段によって判定された場合に、前記第２の処理手段は、前記記憶手段が記憶している種類の自動設定処理を用いて、前記アクセスポイントと前記通信装置との間で無線接続を確立することを再度試みることを特徴とする請求項２に記載の通信装置。
【請求項４】
無線接続を確立するための通信パラメータを自動的に設定する自動設定処理を複数種類実行可能な通信装置の制御方法であって、
前記複数種類の自動設定処理の中から、アクセスポイントが送信する情報に基づいて、該アクセスポイントが実行中の自動設定処理の種類を特定する特定工程と、
前記特定工程で特定した種類の自動設定処理を用いて、前記アクセスポイントと前記通信装置との間で無線接続を確立することを試みる第１の処理工程と、
前記アクセスポイントと前記通信装置との間で無線接続を確立することが失敗した場合に、前記特定工程で特定した種類の自動設定処理を用いて、前記アクセスポイントと前記通信装置との間で無線接続を確立することを再度試みる第２の処理工程とを備え、
前記アクセスポイントと前記通信装置との間で無線接続を確立することを前記第２の処理工程で試みる際には、前記アクセスポイントが実行中の自動設定処理の種類を前記アクセスポイントが送信する情報に基づいて特定する処理は実行されないことを特徴とする通信装置の制御方法。
【請求項５】
前記アクセスポイントが実行中の自動設定処理の種類を前記特定工程で特定した際に、該特定した自動設定処理の種類を記憶手段に記憶させる記憶工程を更に備え、
前記第２の処理工程では、前記記憶手段が記憶している種類の自動設定処理を用いて、前記アクセスポイントと前記通信装置との間で無線接続を確立することを再度試みることを特徴とする請求項４に記載の通信装置の制御方法。
【請求項６】
前記アクセスポイントと前記通信装置との間で無線接続を確立することを前記第１の処理工程で失敗した場合に、該失敗の要因が所定のエラーであるか否かを判定する判定工程を更に備え、
前記失敗の要因が前記所定のエラーであると前記判定工程で判定された場合に、前記第２の処理工程では、前記記憶手段が記憶している種類の自動設定処理を用いて、前記アクセスポイントと前記通信装置との間で無線接続を確立することを再度試みることを特徴とする請求項５に記載の通信装置の制御方法。
【請求項７】
無線接続を確立するための通信パラメータを自動的に設定する自動設定処理を複数種類実行可能な通信装置のコンピュータを、
前記複数種類の自動設定処理の中から、アクセスポイントが送信する情報に基づいて、該アクセスポイントが実行中の自動設定処理の種類を特定する特定手段、
前記特定手段が特定した種類の自動設定処理を用いて、前記アクセスポイントと前記通信装置との間で無線接続を確立することを試みる第１の処理手段、
前記アクセスポイントと前記通信装置との間で無線接続を確立することが失敗した場合に、前記特定手段が特定した種類の自動設定処理を用いて、前記アクセスポイントと前記通信装置との間で無線接続を確立することを再度試みる第２の処理手段
として機能させるためのコンピュータプログラムであって、
前記アクセスポイントと前記通信装置との間で無線接続を確立することを前記第２の処理手段が試みる際には、前記アクセスポイントが実行中の自動設定処理の種類を前記アクセスポイントが送信する情報に基づいて特定する処理は実行されないことを特徴とするコンピュータプログラム。
【請求項８】
更に前記コンピュータを、前記アクセスポイントが実行中の自動設定処理の種類を前記特定手段が特定した際に、該特定した自動設定処理の種類を記憶手段に記憶させる記憶制御手段として機能させ、
前記第２の処理手段は、前記記憶手段が記憶している種類の自動設定処理を用いて、前記アクセスポイントと前記通信装置との間で無線接続を確立することを再度試みることを特徴とする請求項７に記載のコンピュータプログラム。
【請求項９】
更に前記コンピュータを、前記アクセスポイントと前記通信装置との間で無線接続を確立することを前記第１の処理手段が失敗した場合に、該失敗の要因が所定のエラーであるか否かを判定する判定手段として機能させ、
前記失敗の要因が前記所定のエラーであると前記判定手段によって判定された場合に、前記第２の処理手段は、前記記憶手段が記憶している種類の自動設定処理を用いて、前記アクセスポイントと前記通信装置との間で無線接続を確立することを再度試みることを特徴とする請求項８に記載のコンピュータプログラム。
【手続補正３】
【補正対象書類名】図面
【補正対象項目名】図４
【補正方法】変更
【補正の内容】
【図４】
2015128234.tif 000001
【手続補正４】
【補正対象書類名】図面
【補正対象項目名】図５
【補正方法】変更
【補正の内容】
【図５】
2015128234.tif 000002